(57)【要約】【課題】  高コスト化、大型化、重量増加をほとんど招くことなく且つ継手本体に直接衝撃力が加わることがない袋ナット付き管継手を提供すること。【解決手段】  袋ナット２を他部材への取付手段とする袋ナット付き管継手において、袋ナット２の一端面から他端面に到る貫通孔２０内に、チューブを取外し可能にする開放スリーブ１５、継手本体１０のうち少なくとも継手本体１０を収容させて成るものとしている。開放スリーブ１５の端面を袋ナット２の一方の端面と一致させてある。継手本体１０及び袋ナット２は、樹脂により構成されている。【選択図面】  図１
2005201321.tif 000002
【特許請求の範囲】
【請求項１】
袋ナットを他部材への取付手段とする袋ナット付き管継手において、袋ナットの一端面から他端面に到る貫通孔内に、チューブを取外し可能にする開放スリーブ、継手本体のうち少なくとも継手本体を収容させて成ることを特徴とする袋ナット付き管継手。
【請求項２】
袋ナットの貫通孔内に継手本体を収容させてあり、開放スリーブのみを袋ナットから突出させていることを特徴とする請求項１記載の袋ナット付き管継手。
【請求項３】
袋ナットの貫通孔内に、開放スリーブを有した管継手全体を収容させて成ることを特徴とする請求項１記載の袋ナット付き管継手。
【請求項４】
開放スリーブの端面を袋ナットの一方の端面と一致させてあることを特徴とする請求項３記載の袋ナット付き管継手。
【請求項５】
継手本体及び袋ナットは、樹脂により構成されていることを特徴とする請求項１乃至４のいずれかに記載の袋ナット付き管継手。
【発明の詳細な説明】
【技術分野】
【０００１】
この発明は、袋ナットを取付手段とする管継手に関するものである。
【背景技術】
【０００２】
料飲店の厨房などに置かれているビール樽のヘッドには、通常、チューブを接続するための管継手が袋ナットを介して取り付けられており、チューブの取外しが開放スリーブの押し込みによりワンタッチで行えるような構成としてある（例えば、特許文献１。）。
【０００３】
上記のような形態の管継手（以下、袋ナット付き管継手という）では、開放スリーブ及び継手本体（ケーシング）の全部又は一部が袋ナットから突出する構造となっているので、前記突出部分である開放スリーブ及び継手本体に衝撃力が加わった場合には比較的簡単に破損するという問題があった。
【０００４】
上記のような管継手の破損において、開放スリーブが破損することはチューブの取外しが困難になるので問題であるが、継手本体が破損した場合には流体の漏れを招く可能性があるので非常に問題である。
【０００５】
なお、上記問題を解決するためには、例えば、開放スリーブ及び継手本体を、耐衝撃性を有する保護カバーで覆うということが考えらえれるが、この手段では開放スリーブ及び継手本体に直接衝撃力が作用することは無くなるものの、保護カバーの分だけ高コスト化、大型化、重量増加が生じる。よって、この手段の採用は好ましくない。
【特許文献１】特開２００１−６５７７５
【発明の開示】
【発明が解決しようとする課題】
【０００６】
そこでこの発明では、高コスト化、大型化、重量増加をほとんど招くことなく且つ継手本体に直接衝撃力が加わることがない袋ナット付き管継手を提供することを課題とする。
【課題を解決するための手段】
【０００７】
（請求項１記載の発明）
この発明は、袋ナットを他部材への取付手段とする袋ナット付き管継手において、袋ナットの一端面から他端面に到る貫通孔内に、チューブを取外し可能にする開放スリーブ、継手本体のうち少なくとも継手本体を収容させて成るものとしている。
（請求項２記載の発明）
この発明の袋ナット付き管継手は、上記請求項１記載の発明に関し、袋ナットの貫通孔内に継手本体を収容させてあり、開放スリーブのみを袋ナットから突出させている。
（請求項３記載の発明）
この発明の袋ナット付き管継手は、上記請求項１記載の発明に関し、袋ナットの貫通孔内に、開放スリーブを有した管継手全体を収容させて成る。
（請求項４記載の発明）
この発明の袋ナット付き管継手は、上記請求項３記載の発明に関し、開放スリーブの端面を袋ナットの一方の端面と一致させてある。
（請求項５記載の発明）
この発明の袋ナット付き管継手は、上記請求項１乃至４のいずれかに記載の発明に関し、継手本体及び袋ナットは、樹脂により構成されている。
【発明の効果】
【０００８】
この発明の袋ナット付き管継手では、高コスト化、大型化、重量増加をほとんど招くことなく且つ継手本体に直接衝撃力が加わることがない。
【発明を実施するための最良の形態】
【０００９】
以下にこの発明の管継手を実施するための最良の形態としての実施例について詳細に説明する。
【００１０】
図１はこの発明の実施例の袋ナット付き管継手Ｔの半断面図、図２は前記袋ナット付き管継手Ｔを構成する袋ナット２の斜視図、図３は袋ナットを介して接続管Ｐに管継手を取り付けた状態において、前記管継手Ｔにチューブ９を接続した状態を示す半断面図、図４は前記管継手Ｔにおける開放スリーブ１５を押し込んでチューブ９が取り外せるようになった状態を示す半断面図を示している。
（この袋ナット付き管継手Ｔの基本的構成について）
この袋ナット付き管継手Ｔは、図１に示すように、樹脂製の袋ナット２を他部材（例えば、ビール樽のヘッド）への取付手段とするものであって、前記袋ナット２の一端面から他端面に到る貫通孔２０内に開放スリーブ１５を有する管継手１の全体を収容させると共に、前記開放スリーブ１５の端面を袋ナット２の一方の端面と一致させるようにして成るものである。
（管継手１の構成について）
管継手１は、図１に示すように、筒状の継手本体１０内に、押えリング１１、ガイドリング１２、支持リング１３、挿入筒１４及び開放スリーブ１５を設けてあり、更にそれらの奥側にはＯリング１６を設けてある。
【００１１】
継手本体１０は、図１に示すように、筒状に形成されており、奥側から小径部１０ａ、大径部１０ｂ、中径部１０ｃを形成してある。
【００１２】
上記支持リング１３は、図１に示すように、内周部に複数の係止爪１３ａを有する断面く字状のものであり、押えリング１１とガイドリング１２との組合せによってできる周溝部に嵌め込まれるようにして位置決めされている。そして、支持リング１３を位置決めする押えリング１１とガイドリング１２は、継手本体１０の内周面に設けた段付部１７と挿入筒１４により挟み込まれる態様で配置されている。
【００１３】
開放スリーブ１５は、図１に示すように、フランジ１５ａを有した筒状体１５ｂにより構成されて成るもので、挿入筒１４の開孔部から抜け止め状態に挿入されている。なお、挿入筒１４からの開放スリーブ１５の抜け止めは、挿入筒１４の奥端の凹み部１４ａと開放スリーブ１５の先端膨出部１５ｃとの係止により実行されている。
【００１４】
Ｏリング１６は、図１に示すように、押えリング１１と段付部１８との間に設けられ、継手本体１０の内壁と開放スリーブ１５から挿入されたチューブ９との間の流体密性を確保するようになっている。
（袋ナット２の構成について）
袋ナット２は、図１や図２に示すように、外周面に複数の比較的大きな突条２３を設けてあり、一端面から雌ネジ孔２１を形成すると共に他端面から円孔２２を形成することにより、一端面から他端面に到る貫通孔２０を形成してある。なお、前記雌ネジ孔２１の山径は図１に示すように、上記本体１０の大径部１０ｂよりも僅かに大きく、円孔２２の直径は本体１０の中径部１０ｃよりも僅かに大きく、それぞれ設定されており、袋ナット２の貫通孔２０の構成壁には段付部２４が形成されている。
（シール部材３について）
シール部材３は、図１に示すように、リング状の厚肉板に形成されて成るもので、雌ネジ孔２１の構成壁と小径部１０ａの外周面との間に設けられている。
（袋ナット２の貫通孔２０への管継手１の組み込みについて）
袋ナット２の貫通孔２０に管継手１を組み込んだ状態では、図１に示すように、大径部１０ｂと中径部１０ｃとの間にできる段付部１０ｄと上記段付部２４との係止により、手前側に抜け止め状態になる。この状態において、開放スリーブ１５のフランジ１５ａの端面は袋ナット２の一端面と一致している。なお、前記抜け止め状態において、開放スリーブ１５のフランジ１５ａの端面が袋ナット２の一端面より少し中に位置していてもよい。（この袋ナット付き管継手Ｔを、例えば、ビール樽のヘッドに取り付ける態様について）  この袋ナット付き管継手Ｔを、例えばビール樽のヘッドに取り付ける場合、図３や図４に示すように、前記ヘッドに設けられている、雄ネジが形成された接続管Ｐに袋ナット２をねじ込むようにして行われる。この状態では、接続管Ｐとチューブ９とはシール部材３を介して外周流体密状態に連通した状態となっている。
（この袋ナット付き管継手Ｔにおけるチューブ９の接続及び取外しについて）
この管継手１は上記のように構成されているから、開放スリーブ１５からチューブ９を挿入すると、チューブ９の挿入端は支持リング１３の係止爪１３ａを押し広げるようにして通過し、その後開放スリーブ１５への押し込み力を開放すると図３に示した如く係止爪１３ａが、チューブ９の外周面に食い込み、チューブ９は抜け止め状態となっている。
【００１５】
ここで、図４に示したチューブ接続状態において、開放スリーブ１５を押し込むと、開放スリーブ１５の先端部が図４に示すように係止爪１３ａを押し広げ、係止爪１３ａのチューブ９への食い込みが開放される。したがって、前記図４の状態を維持しながら、チューブ９を引っ張ると当該チューブ９を取り外せる。
（この袋ナット付き管継手Ｔの優れた作用・効果について）
この袋ナット付き管継手Ｔは以下に示すような作用・効果を有している。
(1) 基本的には、袋ナット２の貫通孔２０内に管継手１全体を収容させるだけの構造であり、背景技術の欄に記載の物の如く保護カバーは存在しないから、高コスト化、大型化、重量増加は全く又はほとんどない。
(2) 樹脂製の袋ナット２の一端面から他端面に到る貫通孔２０内に開放スリーブ１５を有する管継手１の全体を収容させるようにして構成されているから、外部からの衝撃力が直接管継手１に加わることがない。つまり、開放スリーブ１５を含む管継手１全体は、袋ナット２により外からの衝撃力から保護されている。したがって、開放スリーブ１５の破損によってチューブ９の取外しが困難になるとか、継手本体１０から流体が漏れるという事態は発生しない。
（その他）
上記実施例の管継手１にかえて、袋ナット２の貫通孔２０内に継手本体１０を収容させ、開放スリーブ５のみを袋ナット２から突出させるようにしてもよい。この場合、継手本体１０から流体が漏れるという最悪の事態は発生しない。
【００１６】
上記した実施例の管継手１にかえて  開放スリーブ１５の端面を袋ナット２の一方の端面よりも貫通孔２０の内部に位置させるようにしてもよい。
【００１７】
上記した実施例の管継手１について形態に多少の変更があったとしても、開放スリーブ１５を有する管継手であれば本件発明を同様に施すことにより、同等の作用・効果が得られる。
【図面の簡単な説明】
【００１８】
【図１】この発明の実施例の袋ナット付き管継手の半断面図。
【図２】前記袋ナット付き管継手を構成する袋ナットの斜視図。
【図３】袋ナットを介して接続管に管継手を取り付けた状態において、前記管継手にチューブを接続した状態を示す半断面図。
【図４】前記管継手における開放スリーブを押し込んでチューブが取り外せるようになった状態を示す半断面図。
【符号の説明】
【００１９】
Ｔ      袋ナット付き管継手
１      管継手
２      袋ナット
１０    継手本体
１５    開放スリーブ
２０    貫通孔
【図１】
2005201321.tif 000003
【図２】
2005201321.tif 000004
【図３】
2005201321.tif 000005
【図４】
2005201321.tif 000006